(57)【要約】【課題】  ハードディスクが受ける振動を防止するようにした増設用ハードディスクケースのクッション構造を提供する。【解決手段】  内部にハードディスク４０を収納する増設用ハードディスクケース１０に使用されるクッション構造であって、前記ケース１０における底部プレートの左右方向の前後両側に互いに対応する取付プレート１１が設けられると共に、該取付プレート１１にＣ字形状の切欠部１２が形成され、該Ｃ字形状の切欠部１２に筒状のクッション部材２０を介してハードディスク４０を保持連結し、かつ前記ハードディスク４０が底部プレートの底面と接触しない状態に保持するようにした。【選択図】図１
0003108708.tif 000002
【実用新案登録請求の範囲】
【請求項１】
内部にハードディスクを収納する増設用ハードディスクケースに使用されるクッション構造であって、
前記ケースの底部プレートの左右方向の前後側面に、それぞれ互いに対応するＣ字形状の切欠部が形成された取付プレートを設け、該Ｃ字形状の切欠部には筒状のクッション部材を配設して、前記取付プレートとハードディスクの側面とを前記クッション部材を介して連結保持するようにしたことを特徴とする増設用ハードディスクケースのクッション構造。
【請求項２】
前記クッション部材とハードディスクケースは、固定ねじが該クッション部材を貫通してハードディスクケース側面のねじ穴と螺合することにより連結されるようにしたことを特徴とする請求項１に記載の増設用ハードディスクケースのクッション構造。
【請求項３】
前記固定ねじに平滑部とねじ山部が設けられることを特徴とする請求項２に記載の増設用ハードディスクケースのクッション構造。
【考案の詳細な説明】
【技術分野】
【０００１】
本考案は、特にクッション部材を設けることにより、ハードディスクが受ける振動を防止するようにした増設用ハードディスクケースのクッション構造に関するものである。
【背景技術】
【０００２】
増設用ハードディスクケースは、既存のハードディスクの空き容量が足りない時、パソコンに組合せ増設することにより、その内部に設けられるハードディスクにより、パソコンにおけるハードディスクのメモリー容量の機能を拡張するものである。
【考案の開示】
【考案が解決しようとする課題】
【０００３】
しかしながら、前記増設用ハードディスクケースと内部に設置するハードディスクとの間には何らのクッション構造も設けられていないので、外力からの衝撃等によってハードディスクに悪影響を与える問題を有する。
【０００４】
そこで、案出されたのが本考案であって、クッション部材を設けることにより、ハードディスクが受ける振動を防止するようにした増設用ハードディスクケースのクッション構造を提供することを目的としている。
【課題を解決するための手段】
【０００５】
本願の請求項１の考案は、内部にハードディスクを収納する増設用ハードディスクケースに使用されるクッション構造であって、前記ケースの底部プレートの左右方向の前後側面に、それぞれ互いに対応するＣ字形状の切欠部が形成された取付プレートを設け、該Ｃ字形状の切欠部には筒状のクッション部材を配設して、前記取付プレートとハードディスクの側面とを前記クッション部材を介して連結保持するようにしたことを特徴とする。
【０００６】
請求項２の考案は、請求項１に記載の増設用ハードディスクケースのクッション構造において、前記クッション部材とハードディスクケースは、固定ねじが該クッション部材を貫通してハードディスクケース側面のねじ穴と螺合することにより連結されるようにしたことを特徴とする。
請求項３の考案は、請求項２に記載の増設用ハードディスクケースのクッション構造において、前記固定ねじに平滑部とねじ山部が設けられることを特徴とする。
【考案の効果】
【０００７】
本考案は上記の課題を解決するものであり、ケースにおける底部プレートの左右方向の前後側面に互いに対応する取付プレートが設けられると共に、該取付プレートにＣ字形状の切欠部が形成され、該切欠部に筒状のクッション部材が設けられ、固定ねじが該クッション部材を貫通してハードディスクトと螺合することで、クッション部材を介して前記取付プレートとハードディスクとを保持連結することにより、ハードディスクを前記底部プレート上面に浮かせた状態で保持すると共に、前記ケースに収納されたハードディスクに加わる振動をクッション部材のクッション効果によって防止することができる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【０００９】
図１は本考案に係る増設用ハードディスクケースのクッション構造の一実施例を示す使用状態の分解斜視図であり、図２は本考案に係る増設用ハードディスクケースのクッション構造の一実施例を示す使用状態の斜視図であり、図３は本考案に係る増設用ハードディスクケースのクッション構造の一実施例を示す使用状態の断面図である。
【００１０】
図１に示すように、本考案に係る増設用ハードディスクケースのクッション構造は内部にハードディスク４０を収納する組み合わせ型の増設用ハードディスクケース１０に使用されるものであり、前記ケース１０における底部プレートの左右方向の前後両側に互いに対応する取付プレート１１が設けられると共に、該取付プレート１１にＣ字形状の切欠部１２が形成され、該切欠部１２に、中央部外周方向にリング状溝２１が形成された筒状のクッション部材２０が配設され、固定ねじ３０が該クッション部材２０を貫通してハードディスクト４０の側面に形成したねじ穴と螺合することにより、クッション部材２０を介して前記底部プレートの両側に互いに対応する取付プレート１１とハードディスク４０とを保持連結し、ハードディスク４０がケース１０の底部プレート面と接触しない状態でケース１０に保持して設置される。
【００１１】
前記クッション部材２０は、例えば軟質プラスチック又はゴムなどの軟質部材からなり、外側に取付プレート１１のＣ字形状の切欠部１２に位置決めするためのリング状溝２１が外周のほぼ中央部に形成されている。
【００１２】
前記クッション部材２０の貫通穴に挿入されて、前記ハードディスクト４０と螺合する固定ねじ３０は、平滑部３１とねじ山部３２が設けられ、図１乃至図３に示すように、クッション部材２０がハードディスク４０と連結する際、該固定ねじ３０の平滑部３１がクッション部材２０の内部に位置されると共に、ねじ山部３２がクッション部材２０を貫通してハードディスク４０のねじ穴と螺合する。
【００１３】
本考案における前記固定ねじ３０は、頭部より伸びる平滑部３１を有するので、固定ねじ３０をクッション部材２０に挿入する際、該平滑部３１によって固定ねじ３０がハードディスク４０に対し、締めすぎることがなく、ハードディスク４０がねじ結合によって損壊するなどの問題を防止できる。
【００１４】
また、前記固定ねじ３０とクッション部材２０と取付プレート１１により、ハードディスク４０がケース１０の底部プレートの内底面と接触しない状態でケース１０に保持することができるので、ハードディスク４０のクッション効果を向上することができる。
【産業上の利用可能性】
【００１５】
本考案は上記の構成を有するので、ケースにおける底部プレートの両側に互いに対応する取付プレートが設けられると共に、該取付プレートにＣ字形状の切欠部が形成され、該Ｃ字形状の切欠部に筒状のクッション部材が設けられ、固定ねじが該クッション部材を貫通してハードディスクトと螺合するとともに、ハードディスク４０がケース１０の底部プレート内底面と接触しない状態でケース１０に設けることができるのでハードディスク４０のクッション効果を向上することができる。
【図面の簡単な説明】
【００１６】
【図１】本考案に係る増設用ハードディスクケースのクッション構造の一実施例を示す使用状態の分解斜視図である。
【図２】本考案に係る増設用ハードディスクケースのクッション構造の一実施例を示す使用状態の斜視図である。
【図３】本考案に係る増設用ハードディスクケースのクッション構造の一実施例を示す使用状態の断面図である。
【符号の説明】
【００１７】
１０        ケース
１１        取付プレート
１２        Ｃ字形状の切欠部
２０        クッション部材
２１        リング状溝
３０        固定ねじ
３１        平滑部
３２        ねじ山部
４０        ハードディスク
【図１】
0003108708.tif 000003
【図２】
0003108708.tif 000004
【図３】
0003108708.tif 000005